(57)【特許請求の範囲】
【請求項１】
室内側吸込口と室内側吹出口および室外側吸込口と室外側吹出口を形成し前面が開口した略直方体形状の本体と、この本体内に前記室内側吸込口と室外側吹出口を連通し形成される排気通路および、室外側吸込口と室内側吹出口を連通し形成される給気通路と、前記本体の長手方向に軸方向を設け前記排気通路内に配設される排気用送風機と、この排気用送風機の軸方向に並設され、前記給気通路内に配設される給気用送風機と、前記排気通路と給気通路の交差部に積層方向が送風機の軸方向となるように本体の長手方向に向け配設される熱交換器と、前記本体の前面に着脱自在に設けられるフロントパネルとを備え、前記本体の上面に室内側吹出口を設け、下面に室内側吸込口を設けた換気空調ユニットであって、前記給気用送風機の吹出口側に、格子状または網目状の剛体を用いて前記室内側吹出口に向かいＭ字状に形成され吹出気流を前記室内側吹出口の長手方向に分散する分散板と前記吹出気流を消音する消音材を設けた分散手段を配置する構成とした換気空調ユニット。
【発明の詳細な説明】
【０００１】
【発明の属する技術分野】
本発明は、建物内に据え付けられ換気を行いながら熱回収する換気空調ユニットに関する。
【０００２】
【従来の技術】
従来、建物内に設けられる換気空調ユニットとしては、図８に示すように天井裏内に吊り下げて使用されるものがあった。
【０００３】
以下、その構成について図８を参照しながら説明する。
建物の天井裏内に換気空調ユニットの本体１０１が吊りボルト１０２によって据え付けられ、本体１０１内には給気用送風機および排気用送風機を設けるとともに給気する室外空気と室内より帰還する室内空気を熱交換させる熱交換器を設け、室外より引き込まれた室外吸込ダクト１０３により室外空気を取り込み、室内空気の帰還となる帰還ダクト１０４を設けるとともに、他方側には、室内への吹出口となる室内吹出ダクト１０５を介して、室内へ吹出すようにしている。また、室内空気を排気するための室外排気口１０６や排気ダクト１０７を設け、天井面１０８には本体を点検するため、人が入れる大きさの点検口１０９を設けていた。
【０００４】
また、床置形タイプ等の換気空調ユニットに用いられているものとして、図９〜図１１に示すように給気用送風機１１１の吹出口１１２に室内側吹出口１１３を対向して設けたり、室外側吸込口１１４より給気チャンバー１１５内に吸い込まれた給気流をダクト等を介さず給気通路口１１６より熱交換器１１７に送ったり、給気チャンバー１１５に屋外と連通するダクト１１８を接続するためにアダプター１１９が設けられていた。
【０００５】
【発明が解決しようとする課題】
このような従来の図９〜図１１に示す床置タイプの構成では室内側吹出口１１３からの吹出空気が吹出口１１２上の一部分からしか室内に給気されず、そのため吹出面積が狭いので風速が速くなり寒さを感じるという課題や、室内側吹出口１１３より給気用送風機１１１の回転音などが洩れて室内の人が不快感を感じるという課題があった。
【０００９】
本発明は、上記課題を解決するもので、室内側吹出口全体から吹き出し可能で、騒音の低減を図ることができる換気空調ユニットを提供することを目的とする。
【００１０】
【課題を解決するための手段】
本発明の換気空調ユニットは上記目的を達成するために、給気用送風機の吹出口側に、格子状または網目状の剛体を用いて室内側吹出口に向かいＭ字状に形成され吹出気流を前記室内側吹出口の長手方向に分散する分散板と前記吹出気流を消音する消音材を設けた分散手段を配置する構成としたものである。
【００１１】
【発明の実施の形態】
本発明は、室内側吸込口と室内側吹出口および室外側吸込口と室外側吹出口を形成し前面が開口した略直方体形状の本体と、この本体内に前記室内側吸込口と室外側吹出口を連通し形成される排気通路および、室外側吸込口と室内側吹出口を連通し形成される給気通路と、前記本体の長手方向に軸方向を設け前記排気通路内に配設される排気用送風機と、この排気用送風機の軸方向に並設され、前記給気通路内に配設される給気用送風機と、前記排気通路と給気通路の交差部に積層方向が送風機の軸方向となるように本体の長手方向に向け配設される熱交換器と、前記本体の前面に着脱自在に設けられるフロントパネルとを備え、前記本体の上面に室内側吹出口を設け、下面に室内側吸込口を設けた換気空調ユニットであって、前記給気用送風機の吹出口側に、格子状または網目状の剛体を用いて前記室内側吹出口に向かいＭ字状に形成され吹出気流を前記室内側吹出口の長手方向に分散する分散板と前記吹出気流を消音する消音材を設けた分散手段を配置する構成としたものであり、給気面積を広くとれ、風速を低く抑えることができ、使用者に給気流による不快感を与えることが防止されるとともに、分散板をＭ字状に形成したことにより分散板による風路抵抗を少なくすることができ、効率低下の緩和が図れ、また、室内側吹出口から放出される給気用送風機の騒音が低減され、低騒音化を図ることができるとともに、給気用送風機の吹出口に格子状や網目状の剛体で形成した分散板を設けることにより、給気用送風機内に手が入るのが防止され、回転体により怪我をするということが防止される。
【００１３】
以下、本発明の実施例について図面を参照しながら説明する。
【００１４】
【実施例】
（実施例１）
図１〜図４に示すように、室内側吸込口１と室内側吹出口２および給気チャンバー３を介して設けられる室外側吸込口４と排気チャンバー５を介して設けられる室外側吹出口６を形成し、前面が開口された略直方体形状の本体７内に、室内側吸込口１と室外側吹出口６を連通し排気通路８を形成し、室外側吸込口４と室内側吹出口２を連通した給気通路９を形成し、本体７の上方部内において本体７の長手方向が軸方向となるように排気通路８内に排気用送風機１０を設け、排気用送風機１０の軸方向の給気通路９内に給気用送風機１１を並設し、排気通路８と給気通路９の交差部に積層方向が排気用送風機１０および給気用送風機１１の軸方向となるように排気用送風機１０および給気用送風機１１の下方において本体７の長手方向に熱交換器１２を配設し、排気用送風機１０側には通路仕切り１０Ａを設けている。
【００１５】
そして、本体７の前面の開口を閉鎖する形状のフロントパネル１３を着脱自在に設け、本体７の上面に着脱自在に吹出グリル１４を設けた室内側吹出口２を設け、本体７の底部となる下面に室内側吸込口１を配設し、給気用送風機１１の吹出口１５側に、格子状または網目状の剛体で好ましくはメタルラスを用いて室内側吹出口２に向かいほぼＭ字状に形成され吹出気流を室内側吹出口２の長手方向に分散する分散板１６に吹出気流を消音する消音材１７を設けた分散手段１８を配設する。
【００１６】
また、熱交換器１２の下方に室外側吸込口４から給気チャンバー３に給気された給気空気を熱交換器１２の下方に導くため入口側の断面積が大きい給気ダクト１９を設け、建物の屋外側には室外側吸込口４に連通して設けられる屋外フード２０と室外側吹出口６に連通して設けられる屋外フード２１を設け構成する。
【００１７】
上記構成において、換気空調ユニットの本体７を室内に設置し、室外側吸込口４と室外側吹出口６を屋外と連通して、換気空調ユニットを運転すると、熱エネルギーを含む室内空気が排気用送風機１０により排気通路８を通り熱交換器１２に蓄熱したのち室外側吹出口６より室外に排気され、一方、給気用送風機１１により室外空気が室外側吸込口４より給気通路９に給気され、熱交換器１２を通って蓄熱された熱エネルギーを回収し室内側吹出口２より室内に吹き出され、熱交換しながら換気ができる換気空調ができるもので、室内側吹出口２を本体７の上面に、室内側吸込口１を本体７の下面に設けることから煩雑なダクト工事を不要とすることができ、本体７を室内に設置することができるとともに、フロントパネル１３を取り外すことにより本体７内部の部品の点検作業を容易に行うことができることとなる。
【００１８】
また、給気用送風機１１の吹出口１５から室内側吹出口２に向かい吹き出される空気を分散手段１８の分散板１６により室内側吹出口２の長手方向に分散し、吹出グリル１４を介して室内側吹出口２全体から室内に吹き出すことができるので、給気面積を広くとれ、風速を低く抑えることができ、使用者に給気流による不快感を与えることが防止されるとともに、分散板１６をＭ字状に形成したことにより分散板１６による風路抵抗を少なくすることができ、効率低下の緩和が図れる。
【００１９】
そして、分散手段１８に設けた消音材１７により、室内側吹出口２から放出される給気用送風機１１の騒音が低減され、低騒音化を図ることができるとともに、給気用送風機１１の吹出口１５に格子状や網目状の剛体で形成した分散板１６を設けることにより、使用者が吹出グリル１４を取り外して本体７内に手を入れた場合においても、給気用送風機１１内に手が入るのが防止され、回転体により怪我をするということが防止される。
【００２０】
また、熱交換器１２の下方に入口面積の広い給気ダクト１９を設けることにより、本体７の奥行き寸法を広くしなくても必要な吸い込み空気を十分に取り入れることができるとともに、熱交換器１２が本体７の長手方向に長く形成されていても給気ダクト１９の入口から奥の方まで給気空気が十分に行き渡り熱交換効率を上げることができる。
【００２１】
（実施例２）
図５に示すように、給気チャンバー３に屋外に設けられる屋外フード２０と連通する屋外ダクト２２の接続開口２３を形成し、接続開口２３の挿通された屋外ダクト２２の接続部分をシーリング材２４でシーリングして接続する構成とする。
【００２２】
上記構成において、点検口を兼ねたフロントパネル１３を外すことにより、給気チャンバー３の本体正面側または本体側面側から給気チャンバー３内に手を入れ屋外ダクト２２と接続開口２３との接続部分をシーリング材２４によりシーリングしてダクト接続を行うことができるので、ダクト接続工事が容易に行えるとともに、確実にシーリングすることができ、接続部分からの空気洩れを防止できる。
【００２３】
なお、本実施例では給気チャンバー３側のみについて説明したが排気チャンバー側（図示せず）も給気チャンバー３側と同様に屋外ダクトを接続するもので、給気チャンバー３側と同様の作用効果をもたらすものである。
【００２４】
（実施例３）
図６および図７に示すように、稜線２５をフレーム枠２６で支持し前後を支持板２７により挟持した熱交換器１２と、フィルター２８を支持する自在に開閉可能支持部を設けたクリップ２９を４個または数個を前記熱交換器１２のフレーム枠２６に固定し、固定手段として接着剤、ねじを用いる。また、クリップ２９を広げるように伸ばし、フィルター２８を熱交換器１２に取り付けたあとクリップ２９をフィルター２８を包むように曲げる。
【００２５】
上記構成において、自在に開閉できるクリップ２９によりフィルター２８を熱交換器１２に固定でき、フィルター２８の掃除時においても取り付け、または取り外しに工具を必要とせず確実に固定できスペースも取らないフィルター２８の固定手段が得られる。
【００２６】
【発明の効果】
以上の実施例から明らかなように、本発明によれば吹き出しグリル全体から室内に給気することができ、吹出口からの送風機の音の漏れを低減することができるという効果のある換気空調ユニットを提供できる。
【図面の簡単な説明】
【図１】本発明の実施例１の換気空調ユニットの内部構成を示す斜視図
【図２】同換気空調ユニットの設置状態を示す斜視図
【図３】同換気空調ユニットの室内側吹出口周辺の拡大斜視図
【図４】同換気空調ユニットの給気ダクトと熱交換器周辺の拡大斜視図
【図５】本発明の実施例２の換気空調ユニットの屋外ダクト接続状態を示した断面図
【図６】本発明の実施例３の換気空調ユニットの熱交換器へのフィルターの取り付けを示した斜視図
【図７】同熱交換器へフィルターを取り付けた状態を示す側面図
【図８】従来の換気空調ユニットの設置状態を示す側面図
【図９】同換気空調ユニットの室内側吹出口周辺の拡大斜視図
【図１０】同換気空調ユニットの室外吸込口と熱交換器周辺の拡大斜視図
【図１１】同換気空調ユニットのダクト接続状態を示した断面図
【符号の説明】
１    室内側吸込口
２    室内側吹出口
３    給気チャンバー
４    室外側吸込口
５    排気チャンバー
６    室外側吹出口
７    本体
８    排気通路
９    給気通路
１０  排気用送風機
１１  給気用送風機
１２  熱交換器
１３  フロントパネル
１５  吹出口
１６  分散板
１７  消音材
１８  分散手段
１９  給気ダクト
２２  屋外ダクト
２３  接続開口
２４  シーリング材
２６  フレーム枠
２８  フィルター
２９  クリップ
【図１】
0003827810.tif 000002
【図２】
0003827810.tif 000003
【図３】
0003827810.tif 000004
【図４】
0003827810.tif 000005
【図５】
0003827810.tif 000006
【図６】
0003827810.tif 000007
【図７】
0003827810.tif 000008
【図８】
0003827810.tif 000009
【図９】
0003827810.tif 000010
【図１０】
0003827810.tif 000011
【図１１】
0003827810.tif 000012